(57)【要約】【課題】  本発明は、簡易な構成でキャビネットの内部空間を有効活用し得るスピーカ装置を実現するものである。【解決手段】  キャビネットにスピーカが搭載されたスピーカ装置において、キャビネットの周囲壁の一部を形成し、当該周囲壁に対して可動自在に取り付けられた蓋部材を設け、蓋部材の可動に応じて、キャビネットの周囲壁の一部が開口又は閉塞するようにしたことにより、キャビネットの内部空間を使用時の不具合防止のみならず、携帯時や流通段階等の不使用時であっても収納室として利用することができる。【選択図】        図１
2005101876.tif 000002
【特許請求の範囲】
【請求項１】
キャビネットにスピーカが搭載されたスピーカ装置において、
上記キャビネットの周囲壁の一部を形成し、当該周囲壁に対して可動自在に取り付けられた蓋部材
を具え、
上記蓋部材の可動に応じて、上記キャビネットの上記周囲壁の一部が開口又は閉塞する
ことを特徴とするスピーカ装置。
【請求項２】
上記キャビネットの内部空間に装脱自在に取り付けられ、当該キャビネットに搭載された上記スピーカのうち上記周囲壁の内側から露出する部分を非接触で覆うための保護部材
を具えることを特徴とする請求項１に記載のスピーカ装置。
【請求項３】
上記保護部材は、
上記キャビネットの内部空間における収納状態に合わせた収納壁が形成されてなる
ことを特徴とする請求項２に記載のスピーカ装置。
【発明の詳細な説明】
【技術分野】
【０００１】
本発明はスピーカ装置に関し、例えば低音再生用のスピーカ装置に適用して好適なものである。
【背景技術】
【０００２】
従来、この種の低音再生用のスピーカ装置として、いわゆるスーパーウーファ（Super Woofer）と呼ばれるコーン型スピーカが比較的多数用いられている。かかるコーン型スピーカ１は、一般的には図５に示すように、先端が開口された略円錐形状のコーン型振動板２を有し、当該コーン型振動板２の外周部分が、フレーム３に取り付けられたエッジ４に支持される一方、その内周の開口部分がフレーム３に取り付けられたダンパ５により支持されており、フレーム３に対して前後に可動自在な状態にある。
【０００３】
またコーン型振動板３の開口部分は、リード線でなるボイスコイル６が巻回された円筒状のボイスコイルボビン７に固着されており、当該ボイスコイル６が巻回されたボイスコイルボビン７は、バックプレート８に固定された略ドーナツ形状のマグネット９の磁気ギャップ内に取り囲まれて保持されている。
【０００４】
さらにコーン型振動板３の開口部分には、当該開口部分を覆うようにコーン振動板３の拡開方向に半球形状のヘッドキャップ１０が突出して取り付けられ、コーン振動板３の径方向の変形防止及び塵埃などの侵入防止を図るようになされている。
【０００５】
かくしてコーン型スピーカ１は、外部供給される音声信号を表す印加電流に応じてボイスコイル６に磁界が発生してマグネット９と引き合い又は反発することにより、コーン型振動板３が前後に振動して音声信号に応じた音波を発生させるようになされている。
【特許文献１】特開平７−７７８９号公報（図１）
【発明の開示】
【発明が解決しようとする課題】
【０００６】
ところで、通常、スピーカ装置には、スピーカユニットの放音部から前後方向（すなわち振動面に対する法線方向）にそれぞれ音波を出力するが、前方向の音波に対して後方向の音波が逆位相であるため、前方向の音波が後方向に周り込んだ際に双方の音波が干渉して打ち消し合う特徴がある。
【０００７】
このような音の周り込みによる不具合が生じるのを防止すべく、スピーカ装置において、スピーカユニットの前面側を外部に露出させると共に後面側を内部に覆い隠すようにして、当該スピーカユニットを所定サイズのキャビネットに収容するのが一般的である。
【０００８】
その際使用されるキャビネットのサイズは、スピーカから出力される音波の共振周波数に応じて決定されることから、当該スピーカが比較的大きい場合には、それに応じてキャビネットのサイズも大きくする必要がある。
【０００９】
ここで、一般的に音波のエネルギは、当該音波の振幅と振動数との積の２乗に比例する特性があることから、周波数の小さい低音域では、スピーカ内部の振動板のサイズを比較的大きくすると共に当該振動板を比較的大きな振幅で振動させる必要がある。
【００１０】
このため上述のようなコーン型スピーカのうち、特にスーパーウーファとして使用されるものは、通常のスピーカと比較して、コーン型振動板の口径が比較的大きく設計されており、この結果必然的にキャビネットの内部空間も比較的大きいものが要求される。
【００１１】
ところが、このようなキャビネットの内部空間が非常に大きなスピーカ装置において、当該キャビネットの内部空間を音声出力時以外に有効活用することができれば、ユーザにとっても用途が広がるため非常に望ましい。
【００１２】
特に携帯用に小型化されたＭＤ（Mini Disc）プレーヤとセット販売される場合や、当該ＭＤプレーヤに付随するオプション機器である場合には、スピーカ装置がプレーヤ本体に比較して格段とサイズが大きいため、プレーヤ本体をスピーカ装置のキャビネット内に収納することができれば、ユーザにとって効率が良いと考えられる。
【００１３】
本発明は以上の点を考慮してなされたもので、簡易な構成でキャビネットの内部空間を有効活用し得るスピーカ装置を提案しようとするものである。
【課題を解決するための手段】
【００１４】
かかる課題を解決するため本発明においては、キャビネットにスピーカが搭載されたスピーカ装置において、キャビネットの周囲壁の一部を形成し、当該周囲壁に対して可動自在に取り付けられた蓋部材を設け、蓋部材の可動に応じて、キャビネットの周囲壁の一部が開口又は閉塞するようにした。この結果このスピーカ装置では、キャビネットの内部空間を、使用時の不具合防止のみならず、携帯時や流通段階等の不使用時であっても収納室として利用することができる。
【発明の効果】
【００１５】
上述のように本発明によれば、キャビネットにスピーカが搭載されたスピーカ装置において、キャビネットの周囲壁の一部を形成し、当該周囲壁に対して可動自在に取り付けられた蓋部材を設け、蓋部材の可動に応じて、キャビネットの周囲壁の一部が開口又は閉塞するようにしたことにより、キャビネットの内部空間を使用時の不具合防止のみならず、携帯時や流通段階等の不使用時であっても収納室として利用することができ、かくして簡易な構成でキャビネットの内部空間を有効活用し得るスピーカ装置を実現できる。
【発明を実施するための最良の形態】
【００１６】
以下図面について、本発明の一実施の形態を詳述する。
【００１７】
（１）本実施の形態によるスピーカ装置の構成
図１において、２０は全体として本実施の形態によるスーパーウーファ用のスピーカ装置を示し、例えばプラスチック等の合成樹脂材から構成された略立方体形状でなる箱型のキャビネット２１の内部中央に、コーン型スピーカ２２を保持するための保持プレート２３が固定して取り付けられており、当該保持プレート２３を介して上側及び下側で閉塞空間（以下、これらを第１及び第２の閉塞空間と呼ぶ）ＡＲ１、ＡＲ２を形成するようになされている。
【００１８】
このキャビネット２１内の第１の閉塞空間ＡＲ１では、保持プレート２３を底面部分として、当該保持プレート２３に対向する上壁面を形成する平板（以下、これを上蓋平板と呼ぶ）２１Ａが、キャビネット２１の周側壁のうち後壁面２１Ｂの上端を回動中心として矢印ａ方向又はこれと逆方向に開閉自在に掛合されている。
【００１９】
またキャビネット２１内の第２の閉塞空間ＡＲ２では、保持プレート２３が上面部分となり、当該キャビネット２１の周側壁のうち前壁面２１Ｃにが必要に応じて開口部分２１ＣＸが形成されるように、当該前壁面２１Ｃの一部が矢印ｂ方向又はこれと逆方向に開閉自在な蓋部（以下、これをダクト蓋部と呼ぶ）２１ＣＡとして形成されている。
【００２０】
かかるキャビネット２１において、図１に示すＡ−Ａ´線を断面にとった図２に示すように、保持プレート２３にはコーン型スピーカ２２が固定保持されており、第１の閉塞空間ＡＲ１側には本体部が収容される一方、第２の閉塞空間ＡＲ２側には放音部２２Ａが露出されるようになされ、かくして当該放音部２２Ａから前後方向に出力される音波が相互に干渉して打ち消し合うのを未然に防止するようになされている。
【００２１】
このスピーカ装置２０において、保持プレート２３に固定保持されるコーン型スピーカ２２は、上述した図５に示す従来の構成と同一であり、先端が開口された略円錐形状のコーン型振動板２を有し、当該コーン型振動板２の外周部分が、フレーム３に取り付けられたエッジ４に支持される一方、その内周の開口部分がフレーム３に取り付けられたダンパ５により支持されており、フレーム３に対して前後に可動自在な状態にある。
【００２２】
またコーン型振動板３の開口部分は、リード線でなるボイスコイル６が巻回された円筒状のボイスコイルボビン７に固着されており、当該ボイスコイル６が巻回されたボイスコイルボビン７は、バックプレート８に固定された略ドーナツ形状のマグネット９の磁気ギャップ内に取り囲まれて保持されている。さらにコーン型振動板３の開口部分には、当該開口部分を覆うようにコーン振動板３の拡開方向に半球形状のヘッドキャップ１０が突出して取り付けられ、コーン振動板３の径方向の変形防止及び塵埃などの侵入防止を図るようになされている。
【００２３】
またキャビネット２１内の第２の閉塞空間ＡＲ２（図１及び図２）において、ダクト蓋部２１ＣＡが開状態になると、開口部分２１ＣＸが音波放射口となり、いわゆるヘルムホルツ共鳴（ビンの口を吹くとボーッと鳴る現象）を生じさせるようにして、コーン型スピーカ２２の放音部２２Ａから出力される音波の低音を増強し得るようになされている。
【００２４】
なお図示しないが、本実施の形態の場合、コーン型スピーカ２２に対応するアンプは、キャビネット２１の外部に設けられており、当該アンプを介してＭＤプレーヤ等の再生装置（図示せず）が接続されると、当該再生装置から出力される音声信号をアンプを用いて増幅させた後、コーン型スピーカ２２の放音部から当該音声信号に基づく音声を放音し得る。
【００２５】
またスピーカ装置２０において、キャビネット２１内の第１の閉塞空間ＡＲ１の容積は、コーン型スピーカ２２の放音部から出力される音声によって当該キャビネット２１自体が振動することにより生じる共振周波数に基づいて決定されるようになされている。
【００２６】
かかる構成に加えて、このスピーカ装置２０（図２）では、キャビネット２１内における第１の閉塞空間ＡＲ１を形成する内周側面の所定位置（例えば各角部分）に複数の係止部材２４Ａ〜２４Ｄが固着されている。これら複数の係止部材２４Ａ〜２４Ｄの上端部は、保持プレート２３と平行関係を保つ同一平面に形成するように固着位置が予め設定されている。
【００２７】
かくしてキャビネット２１内の保持プレート２３とほぼ同一サイズの板材（図１及び図２には図示せず）を用意しておき、必要に応じて、当該板材を第１の閉塞空間ＡＲ１内の各係止部材２４Ａ〜２４Ｄの上端部に載置すれば、この板材を底面部分とする収納室を形成し得るようになされている。
【００２８】
さらに各係止部材２４Ａ〜２４Ｄは、それぞれ上端部に板材が載置された際に、保持プレート２３に搭載されているコーン型スピーカ２２と接触しないように固着位置が設定されると共に、重力方向に対して所定の強度を保ち得るように強固に固着されている。
【００２９】
（２）キャビネット２１内における第１の閉塞空間ＡＲ１の利用
ここでスピーカ装置２０では、例えば携帯時や流通段階等の不使用時には、キャビネット２１の上蓋平板２１Ａを開状態にして、当該キャビネット２１内の第１の閉塞空間ＡＲ１を自由に利用し得るようになされている。
【００３０】
例えば図３に示すように、キャビネット２１内の保持プレート２３と同一のサイズのプラスティック材でなる平板（以下、これを仕切り平板と呼ぶ）２５を用意しておき、ユーザは、この仕切り平板２５をキャビネット２１内の第１の閉塞空間ＡＲ１を形成する内周側面に固着された複数の係止部材２４Ａ〜２４Ｄ上に載置することにより、当該仕切り平板２５を底面とする収納室を形成する。
【００３１】
そしてユーザはキャビネット２１内の第１の閉塞空間ＡＲ１に形成された仕切り平板２５を底面とする収納室に、例えばＭＤプレーヤ等の所望の物品２６を収納した後、上蓋平板２１Ａを閉状態にすることにより、スピーカ装置２０内部に所望の物品２６を収納させることができる。
【００３２】
一方、スピーカ装置２０の使用時には、ユーザはキャビネット２１の上蓋平板２１Ａを開状態にして、第１の閉塞空間ＡＲ１に形成された収納室から物品２６を取り出した後、続いて当該収納室の底面部分を形成する仕切り平板２５を取り出して上蓋平板２１Ａを閉状態にすれば、キャビネット２１内の第１の閉塞空間ＡＲ１を元の状態に戻すことができる。この結果、スピーカ装置２０のキャビネット２１は、コーン型スピーカ２２の放音部２２Ａから前後方向に出力される音波が相互に干渉して打ち消し合うをの防止することができるといった本来の機能を発揮することができる。
【００３３】
（３）本実施の形態による動作及び効果
以上の構成において、このスピーカ装置２０では、キャビネット２１内の第１の閉塞空間ＡＲ１を形成する上蓋平板２１Ａを開閉自在に係合させておくと共に、当該第１の閉塞空間ＡＲ１を形成する内周壁面の所定位置に複数の係止部材２４Ａ〜２４Ｄを固着しておく。
【００３４】
そしてユーザは、スピーカ装置２０の不使用時に、このキャビネット２１の上蓋平板２１Ａを開状態にして、コーン型スピーカ２２を保持する保持プレート２３と同一のサイズでなる仕切り平板２５を、第１の閉塞空間ＡＲ１の内周壁面に固着された複数の係止部材２４Ａ〜２４Ｄ上に載置することにより、当該仕切り平板２５を底面とする収納室を形成する。
【００３５】
続いてユーザは、キャビネット２１内の第１の閉塞空間ＡＲ１に形成された収納室に所望の物品を収納した後、上蓋平板２１Ａを閉状態にすることにより、キャビネット２１に搭載されているコーン型スピーカ２２を内部空間内での接触を回避しながら当該キャビネット２１内に所望の物品２６を収納させることができる。
【００３６】
特に収納対象である物品２６がこのスピーカ装置２０を使用する携帯型のＭＤプレーヤ等の再生装置（図示せず）である場合には、再生装置がスピーカ装置２０内に収納された分だけ、携帯時の小型化を図ることができ、この結果、その小型化による携帯性を格段と向上することができる。
【００３７】
また収納対象である物品２６が携帯型のＭＤプレーヤ等の再生装置であり、スピーカシステムとしてこのスピーカ装置２０と一体にセット販売される場合には、再生装置がスピーカ装置２０内に収納された分だけ、流通段階においてスピーカシステム全体として小型化することができ、この結果、その小型化による梱包用のパッケージのサイズをも小型化することができる。
【００３８】
一方、スピーカ装置２０の使用時には、キャビネット２１の上蓋平板２１Ａを開状態にして、第１の閉塞空間ＡＲ１に形成された収納室から物品２６及び仕切り平板２５を取り出した後、当該上蓋平板２１Ａを閉状態にすることにより、かかるキャビネット２１に、コーン型スピーカ２２の放音部２２Ａから出力される音波の相互干渉による打ち消し合いの未然防止を図るといった本来の機能を発揮することができる。
【００３９】
以上の構成によれば、このスピーカ装置２０において、キャビネット２１内の第１の閉塞空間ＡＲ１を形成する上蓋平板２１Ａを開閉自在に係合させておくと共に、当該第１の閉塞空間ＡＲ１を形成する内周壁面の所定位置に複数の係止部材２４Ａ〜２４Ｄを固着しておき、スピーカ装置２０の不使用時に、キャビネット２１の上蓋平板２１Ａを開状態にして、コーン型スピーカ２２を保持する保持プレート２３と同一のサイズでなる仕切り平板２５を、第１の閉塞空間ＡＲ１の内周壁面に固着された複数の係止部材２４Ａ〜２４Ｄ上に載置するようにして当該仕切り平板２５を底面とする収納室を形成するようにしたことにより、キャビネット２１の内部空間を使用時の不具合防止のみならず、携帯時や流通段階等の不使用時であっても収納室として利用することができ、かくして簡易な構成でキャビネット２１の内部空間を有効活用し得るスピーカ装置２０を実現できる。
【００４０】
（４）他の実施の形態
なお上述の本実施の形態においては、本発明を図１のようなスーパーウーファ用のスピーカ装置２０に適用するようにした場合について述べたが、本発明はこれに限らず、要は、不使用時にキャビネット２１の内部空間を収納室として有効活用させるスピーカ装置であれば、この他種々の構成からなるスピーカ装置に広く適用することができる。
【００４１】
この場合、スピーカとしてコーン型スピーカ２２を適用した場合について述べたが、これ以外にも、ドーム型スピーカやホーン型スピーカなど種々の構成からなるスピーカに広く適用するようにしても良い。またスピーカに対応するアンプをキャビネット２１の外部に設けるようにした場合について述べたが、キャビネット２１に内蔵させるようにしても良い。
【００４２】
また上述の本実施の形態においては、キャビネット２１の周囲壁の一部を形成し、当該周囲壁に対して可動自在に取り付けられた蓋部材として、キャビネット２１の上壁面を形成する上蓋平板２１Ａを適用するようにした場合について述べたが、本発明はこれに限らず、キャビネット２１の周囲壁であれば、上壁面以外にも周側壁や下壁面を形成する部分でも良く、要は、蓋部材の可動に応じてキャビネット２１の周囲壁の一部が開口又は閉塞することができれば、この他種々のものを蓋部材として適用するようにしても良い。
【００４３】
さらに上述の本実施の形態においては、キャビネット２１の内部空間に装脱自在に取り付けられ、当該キャビネット２１に搭載されたコーン型スピーカ（スピーカ）２２のうち周囲壁の内側から露出する部分を非接触で覆うための保護部材として、複数の係止部材２４Ａ〜２４Ｄ及び仕切り部材２５を組み合わせたものを適用するようにした場合について述べたが、本発明はこれに限らず、要は、キャビネット２１に搭載されているコーン型スピーカ（スピーカ）２２を内部空間内での接触を回避しながら当該キャビネット２１内に所望の物品２６を収納させることができれば、この他種々の構成からなる保護部材に広く適用することができる。
【００４４】
また保護部材としての仕切り部材２５を収納対象である物品の収納状態に合わせて形状を設計するようにしても良い。すなわち図３との対応部分に同一符号を付した図４に示すように、キャビネット２１内の保持プレート２３と同一のサイズのプラスティック材でなる平板のみならず、当該キャビネット２１の内部空間における収納状態に合わせた収納壁３０Ｘが形成された仕切り部材３０を装脱自在に取り付けるようにしても良い。この結果、新たに物品（例えばＡＣアダプタ等）２７を増やすなど、収納パターンにバリエーションをもたせることができ、ユーザにとって一層便利な収納態様を設定することが可能となる。
【００４５】
また保護部材である仕切り平板２５（図３）及び仕切り部材３０（図４）は、平板以外にも、網形状や棒形状など種々の形状のものを適用しても良く、さらに合成樹脂材以外にも金属やゴム等の弾性部材などの広く適用することができる。
【００４６】
またキャビネット２１、保持プレート２３及び仕切り平板２５を、プラスティック材等の合成樹脂材からなるようにした場合について述べたが、本発明はこれに限らず、使用時の密閉性を実用上十分な程度に確保することができれば、金属や陶器等の種々の材質のものを適用しても良く、さらにはそれぞれの厚みも例えば１〔mm〕程度のように自由に設定するようにしても良い。またキャビネット２１を梱包用のパッケージをそのまま利用するようにしても良い。
【産業上の利用可能性】
【００４７】
スピーカ装置において、携帯用のＭＤプレーヤやＣＤ（Compact Disc）に対してセット販売又はオプション販売されるスピーカ等に適用することができる。
【図面の簡単な説明】
【００４８】
【図１】本実施の形態によるスピーカ装置の構成を示す略線的な斜視図である。
【図２】図１のスピーカ装置における所定部位の断面図である。
【図３】スピーカ装置の不使用時の利用状態に説明に供する略線的な断面図である。
【図４】他の実施の形態によるスピーカ装置の不使用時の利用状態に説明に供する略線的な断面図である。
【図５】従来のコーン型スピーカの構成を示す略線的な断面図である。
【符号の説明】
【００４９】
１、２２……コーン型スピーカ、２０……スピーカ装置、２１……キャビネット、２１Ａ……上蓋平板、２２Ａ……放音部、２３……保持プレート、２４Ａ〜２４Ｄ……係止部材、２５……仕切り平板、３０……仕切り部材、ＡＲ１…第１の閉塞空間、ＡＲ２……第２の閉塞空間。
【図１】
2005101876.tif 000003
【図２】
2005101876.tif 000004
【図３】
2005101876.tif 000005
【図４】
2005101876.tif 000006
【図５】
2005101876.tif 000007